Podtech/llm-jp-corpus-v4-ja_patent huggingface dataset:
(57)【要約】      （修正有）【課題】硬化した被測定物の内部で固着した状態となった温度センサを、その後繰り返し使用可能とする温度センサ用保護具を提供する。【解決手段】熱硬化性樹脂や熱可塑性樹脂など、温度の変化や時間の経過により、液体状が固体状に変化する被測定物の硬化する過程における温度を測定するための温度センサ用保護具３であって、金属などの熱伝導率が高い材質からなり、温度センサ２を覆い、温度センサが直接被測定物に接触することなく、硬化後、被測定物に残留する機能を有する構造を特徴とする。【選択図】図１
0003194332.tif 000002
【実用新案登録請求の範囲】
【請求項１】
熱硬化性樹脂や熱可塑性樹脂など、温度の変化や時間の経過により、液体状が固体状に変化する被測定物の硬化する過程における温度を測定するための温度センサ用保護具であって、金属などの熱伝導率が高い材質からなり、温度センサを覆い、温度センサが直接被測定物に接触することなく、硬化後、被測定物に残留する機能を有する構造の温度センサ用保護具。
【考案の詳細な説明】
【技術分野】
【０００１】
本考案は、熱硬化性樹脂や熱可塑性樹脂などの、液体状から固体状に変化する被測定物の硬化する過程の温度測定を行う温度センサ用保護具に関する。
【背景技術】
【０００２】
温度の変化や時間の経過により、液体状から固体状に変化する熱硬化性樹脂や熱可塑性樹脂などの物質は、硬化する過程の温度情報が、その物質の特性を知る上で重要な情報の一つとなっている。
【０００３】
温度を測定する手段として、温度センサを使用するが、より正確な特性情報を知るためには、被測定物の表面温度ではなく、被測定物の中の温度を測定しなければならず、即ち、温度センサを被測定物の内部に挿入して測定しなければならない。しかし、液体状から固体状に硬化した後、温度センサは被測定物質の内部で固着した状態となり、その状態から温度センサを取り出すことは非常に困難で、新しい温度センサと交換しなければならないという問題があった。
【考案の概要】
【考案が解決しようとする課題】
【０００４】
解決しようとする問題点は、硬化した被測定物の内部で固着した状態となった温度センサを、その後繰り返し使用できない点である。
【課題を解決するための手段】
【０００５】
本考案は、熱硬化性樹脂や熱可塑性樹脂など、温度の変化や時間の経過により、液体状が固体状に変化する被測定物の硬化する過程における温度を測定するための温度センサ用保護具であって、金属などの熱伝導率が高い材質からなり、温度センサを覆い、温度センサが直接被測定物に接触することなく、硬化後、被測定物に残留する機能を有する構造を特徴とする。
【考案の効果】
【０００６】
本考案の温度センサ用保護具は、金属などの熱伝導率が高い材料からなるため、温度測定への影響を与えることなく、硬化した被測定物の中で固着した状態から、温度センサを取り出すことが可能となり、その後も温度センサを繰り返し使用できる利点がある。
【図面の簡単な説明】
【０００７】
【図１】温度センサ用保護具の実施した例を示す図である。
【図２】温度センサ用保護具の実施した例を示す図である。
【図３】温度センサ用保護具のありなしによる温度測定値の比較をした図である。
【実施例】
【０００８】
図１は、本考案の１実施例であって、温度測定装置の温度センサ取付け部分の断面図である。筐体１の中に温度センサ２を配置し、筐体１より露出した温度センサ２の先端に、温度センサ用保護具３を差し込むように装着する。温度センサ２は、温度センサ信号端子部４から図示しないが温度計測回路に接続される。本実施例では、温度センサ２に白金測温抵抗体を使用、温度用センサ保護具３の材質に、熱伝導率の高い銅を使用した。
【０００９】
図示しないが、被測定物としてエポキシ系接着剤を容器に入れ、温度センサ用保護具３を装着した温度センサ２の、温度センサ用保護具３がエポキシ系接着剤に接触するよう容器の中に挿入する。その後、エポキシ系接着剤が硬化し固体化すると、温度センサ用保護具３がエポキシ系接着剤の中で固着した状態となり、温度センサ２と容器を引き離すようにすると、温度センサ用保護具３は容器内の固体化したエポキシ系接着剤に残留したまま、温度センサ２を引き抜くことができる。
【００１０】
図２は、図１同様に本考案の１実施例であって、温度測定装置のプローブ形状をした温度センサ取付け部の断面図である。プローブ筐体５の中に温度センサ２を配置し、プローブ筐体５より露出した温度センサ２の先端に、温度センサ用保護具３を差し込むように装着する。温度センサ２は、温度センサ信号端子部４から図示しないが温度計測回路に接続される。本実施例では、温度センサ２に白金測温抵抗体を使用、温度センサ保護具３の材質に、熱伝導率の高い銅を使用した。また、プローブの移動時などに、温度センサ２を衝突や衝撃から保護するガード６を取り付けてある。ガード６は、温度センサ２を中心に対向して２個配置し、プローブ筐体５に差し込むように設置してある。
【００１１】
図示しないが、被測定物としてエポキシ系接着剤を容器に入れ、温度センサ用保護具３を装着した温度センサ２の、温度センサ用保護具３がエポキシ系接着剤に接触するよう容器の中に挿入する。その後、エポキシ系接着剤が硬化し固体化すると、温度センサ用保護具３がエポキシ系接着剤の中で固着した状態となり、温度センサ２と容器を引き離すようにすると、温度センサ用保護具３は容器内の固体化したエポキシ系接着剤に残留したまま、温度センサ２を引き抜くことができる。また、ガード６も同様にエポキシ系接着剤に残留したまま、プローブ筐体５から外れる。
【００１２】
図３は、温度センサ用保護具のありなしによる温度測定値の比較をした図である。横軸に温度センサ保護具がない場合の温度測定値を、縦軸に温度センサ保護具を装着した場合の温度測定値を示してあるが、双方の温度測定値は一致しており、温度センサ用保護具の測定への影響がないことが解る。
【００１３】
本実施例では、温度センサに白金測温抵抗体を使用したが、サーミスタや熱電対、半導体型などでも良く、温度センサに合せ、最適な形状、材質の温度センサ用保護具であれば問題ない。
【符号の説明】
【００１４】
１  筐体
２  温度センサ
３  温度センサ用保護具
４  温度センサ信号端子部
５  プローブ筐体
６  ガード
【図１】
0003194332.tif 000003
【図３】
0003194332.tif 000004
【図２】
0003194332.tif 000005
(57)【要約】      （修正有） 【課題】ミニチュア着物等の表に描かれた絵柄全体を見せると共に、裾を安定して広げて展示することのできる展示器具を提供する。【解決手段】展示用パネル２とミニチュア着物８の左右の袖に通されてその着物を吊り下げる竿９と、その竿９を前記展示用パネル２から浮かせた状態でその展示用パネル２に取り付ける取付具１０〜１１と、前記展示用パネルとミニチュア着物の前面に所定距離だけ離した透明パネルを取り付ける取付具４，５，６，７とを備える。【選択図】図１
0003194339.tif 000002
【実用新案登録請求の範囲】
【請求項１】
ミニチュア着物等を広げた状態で展示する展示用パネルと、前記ミニチュア着物の左右の袖に通してその着物を吊り下げる竿と、その竿の重心位置を前記展示用パネルから若干浮かせて前記展示用パネルに着脱自在に取り付ける上部取付具と、前記ミニチュア着物の裾を広げた状態で、前記展示用パネルから離れないように、表側から所定距離だけ離して押さえ付ける表側透明パネルを備えたことを特徴とする展示器具。
【考案の詳細な説明】
【技術分野】
【０００１】
本考案は、ミニチュア着物等を絵画のように展示用パネルに吊り下げて展示することのできる着物展示器具に関する。
【背景技術】
【０００２】
和服を広げた状態で展示する器具としては、古くから衣桁が知られている。また、ミニチュア着物の展示器具としては、下記特許文献に記載のものが知られている。これらの特許文献に記載のものは、何れも古来の衣桁に似せた形態であり、床に設置することを基本としている。
【先行技術文献】
【特許文献】
【０００３】
【特許文献１】特開２００２−１７５３０号公報
【特許文献２】実用新案登録第３１１５３２８号公報
【特許文献３】実用新案登録第３１８０５４０号広報
【考案の概要】
【考案が解決しようとする課題】
【０００４】
ところが、和服やミニチュア着物を衣桁に掛けて展示する方法では、着物の絵柄全体が表に出ないという致命的な欠点がある。すなわち、着物の絵柄は、着物を着たときに、前側の上衽（うえおくみ）から前身頃へ、さらには、後側の後身頃へと描かれるので、特許文献２に開示された衣桁は、簡便で有るものの、ミニチュア着物の裾の文様が絵羽文様になっている場合、裾文様のつながりが見えにくいという欠点がある。また、特許文献３に開示された展示キットでは、表側の絵柄は、余すところなく見せることができるが、一般的なミニチュア着物の仕立て方では、展示パネルの下部が展示パネルの上部より前面に出さなければならないという欠点がある。
【０００５】
本考案は、こうした問題を解決したもので、ミニチュア着物等を絵画と同じような方法で展示でき、鑑賞してもらうことのできる新たな展示器具を提供することを課題とする。なお、以下で説明する着物は、和服と洋服を含む概念であり、実施例においては、両方の意味で解釈するものとする。
【課題を解決するための手段】
【０００６】
本考案に係る展示器具は、ミニチュア着物を広げた状態で展示する展示用パネルと、前記ミニチュア着物の左右の袖に通してその着物を吊り下げる竿と、その竿の重心位置を前記展示パネルから若干浮かせて前記展示パネルに着脱自在に取り付ける上部取付具と、前記展示パネルにミニチュア着物を装着し、装着したミニチュア着物の前面に所定距離だけ離した透明パネルを取り付けることを特徴とする。
【０００７】
上部取付具は、竿に取り付けられたピンで展示用パネルの穴を貫通して展示用パネルの裏側から蝶タック等で固定することにより、竿に通されたミニチュア着物等が展示用パネルに装着される。また、竿の形状は、そこに吊り下げる着物や洋服の形状に沿った上に凸の湾曲状のハンガーでもよい。
【０００８】
前記取付具は、こうした構成に限定されるものではなく、磁石等を利用しても良い。
【０００９】
ここでの展示用パネルは、合板、金属板、合成樹脂板、圧縮ボード、コルク板、厚紙、薄い板材、ガラス、アクリル樹脂等で形成されているもの等、その素材は問わない。
【００１０】
前面の透明パネルの装着位置は、ミニチュア着物等の展示物の厚さに関係しているので展示物の厚さに随時合わせて装着する。前面透明パネルは、透明であれば素材は問わない。
【考案の効果】
【００１１】
本考案によれば、ミニチュア着物を展示パネルに簡単に装着でき、簡便に展示出来るスタイルを市場に提供することができる。
【図面の簡単な説明】
【００１２】
【図１】本考案に係る展示器具の実施形態を斜め上方から見た外観斜視図
【図２】上記施形態の側面図
【考案を実施するための形態】
【００１３】
以下、図面を参照しながら、本考案に係る展示器具の実施形態を説明する。
【実施例】
【００１４】
図１、図２において、展示器具１は、展示パネル２とミニチュア着物８を吊り下げる竿９と、その竿９を展示用パネル２に着脱自在に固定する取付具１２と、ミニチュア着物の裾の安定の為の前面透明パネル３と、展示パネル２と透明パネル３を固定する取付具４と、取付具５と、取付具６と取付具７から構成される。
【００１５】
この実施形態に係る展示用パネル２は、アクリル板等を使用し、ミニチュア着物が際立つ文様を入れてもよい。展示用パネル２にはミニチュア着物８を吊り下げる竿９を固定させるピン穴を開けておく。四辺には、前面透明パネル３を装着する取付具４、取付具５、取付具６、取付具７を用いて展示用パネルに装着する穴等を開けておく。また、展示パネル２に、ミニチュア着物８を装着した部分以外の空間に、文様などを描いてもよい。また、展示パネル２が大きくなれば前面透明パネル３との取付具は数を増やすことができる。
【００１６】
ミニチュア着物８は、本物の着物の縮小版として、染色や刺繍が施された鑑賞用の着物である。
【００１７】
ミニチュア着物８を吊り下げる竿９は、ミニチュア着物８の両方の裄より少し短めの丸棒で形成されその中央重心位置に滑り止め１０にピン１１が装着されている。この竿９に、ミニチュア着物８の左右袖を通した後、ミニチュア着物８の襟ぐりに滑り止め１０を合わせ、ピン１１がミニチュア着物８の開いている胸側に成るようにして、展示パネル２前側の穴に通し展示パネル２裏側から蝶タック１２で止める。ミニチュア着物８が展示パネル２に装着されたら、その前面に透明パネル３を取付具４、取付具５、取付具６、取付具７で止める。また、取付具５、取付具６は、展示パネル２と透明パネル３の距離を開けるためにナットを２個装着しているが、両パネル間の距離が一定以上保つスペーサーが有ればそれ使用してもよい。
【符号の説明】
【００１８】
１    展示器具
２    展示用パネル
３    透明パネル
４    展示用パネルと透明パネルの連結具
５    展示用パネルと透明パネル距離を開ける
６    展示用パネルと透明パネル距離を開ける
７    展示用パネル
８    展示物（着物）
９    竿
１０    滑り止め
１１    ピン
１２    蝶タック
【図１】
0003194339.tif 000003
【図２】
0003194339.tif 000004
(57)【要約】      （修正有）【課題】びわの種子が有する古来より珍重されてきた薬効及び風味と、びわの葉の有する薬効及び風味を同時に得られる手軽なお茶として飲用できるびわ茶を提供する。【解決手段】びわの種子１を焙煎後粉砕して得られたびわの種子の粉末と、びわの葉を焙煎して得られるびわ茶２とを適宜の割合で混合し、ティーバッグ３に収容してなるものである。尚、本考案品を収納する包装用袋は、風味や薬効を損なわないように、アルミニューム製又は合成樹脂製の袋とすることが望ましい。【選択図】図１
0003194305.tif 000002
【実用新案登録請求の範囲】
【請求項１】
焙煎後粉砕して得られたびわの種子の粉末と、びわの葉を焙煎して得られるびわ茶とを混合してティーバッグに収容してなるびわ茶。
【考案の詳細な説明】
【技術分野】
【０００１】
本考案はびわ茶に関し、更に詳細には、薬効の大きなびわの種子の粉末とびわの葉を粉砕したものを適宜の割合で混合し、これをティーバッグに収容してなるびわ茶に係わる。
【背景技術】
【０００２】
びわは万病を治す植物として昔から珍重され、大変優れた薬効があることが知られている。このびわの種子と葉には、ブドウ糖、蔗糖、果糖などいろいろな成分が含まれているが、特にその中のアミグダリンという物質が薬効成分として大きな効果を発揮する。
【０００３】
このアミグダリンは体温と共に暖められると浸透して、細胞の中まで入っていき、炎症やガン細胞までも治してしまう程の驚くべき力を発揮することが知られている。
【０００４】
そして、このびわの種子を細片に切断し、破砕し、その後これを乾燥した後焙煎し、焙煎後乾燥させて製造するびわ種茶が先に提案されている（特許文献１参照）。
【０００５】
この特許文献１のびわ種茶は、焙煎に先立ち先ず細片に切断し、破砕している。そしてその後これを焙煎し、焙煎した後乾燥するものである。
【０００６】
しかし、このように焙煎に先立ちびわの種子を細片に切断し、破砕し、その後これを焙煎し、焙煎した後乾燥する方法では、びわの生種子がとても足が早く傷み易いため、好ましいものとは言えなかった。また、粉砕した種子の細片の重量が軽いために焙煎及び乾燥に当たって、種子の細片が周囲に飛び散り、作業する際に好ましくなかった。また、びわの種子のみを使用するものであるから、種子そのものの薬効しか期待することができなかった。
【先行技術文献】
【特許文献】
【０００７】
【特許文献１】特許第３７５６４７８号公報
【考案の概要】
【考案が解決しようとする課題】
【０００８】
本考案は上記の点に鑑みなされたものであって、びわの種子を先に粉砕するのではなく、先ずこれを焙煎して、その後これを粉末状態に粉砕し、斯くして得られたびわの種子の粉末と、びわの葉を焙煎し、粉砕して得られるびわ茶とを適宜の割合で混合してティーバッグに収容してなるものである。
【課題を解決するための手段】
【０００９】
而して、本考案の要旨とするところは、焙煎後粉砕して得られたびわの種子の粉末と、びわの葉を焙煎して得られるびわ茶とを混合してティーバッグに収容してなるびわ茶にある。
【００１０】
斯かる混合したびわ茶の主な成分は、アミグダリン、ペクチン、トリテルペノイド、ウルソール酸、マスリン酸、メチルマスリネート、ユウスカピン酸、ビタミン類、葉酸、ぶどう糖、蔗糖、果糖、デキストリン、酒石酸、タンニン、オレアソール酸、サポニン、ビタミンＢ１、クエン酸である。
【００１１】
前記アミグダリンには、次の薬効があることが知られている。
新陳代謝の促進、冷え性、むくみ、疲労回復、利尿、美肌、ダイエット効果、内蔵疾患、食あたり、胃腸虚弱、食欲増進、下痢止め、アレルギー、花粉症、アトピー、筋肉痛、神経痛、ぜんそく、あせも、湿疹、慢性疾患、糖尿病、肝硬変、高血圧、腰痛、肩凝り、制ガン・抗ガン作用の他、鎮咳、去痰、鎮吐、解熱、浄血、抗菌、強壮作用がある。
【００１２】
尚、ティーバッグの構成は、通常紅茶等において使用されるものと同等の、平坦状又は三角状のティーバッグでよい。
【考案の効果】
【００１３】
本考案は上記の如き構成であり、足が早く傷み易いびわの種子を先に焙煎するものであるから、びわの種子でありながらこれを有効に利用することができ、またびわの種子を焙煎後粉砕して得られたびわの種子の粉末と、びわの葉を焙煎して得られるびわ茶とを混合して一緒にティーバッグに収容したものであるから、従来品におけるが如き問題点を解消し、更に、びわの種子が有する古来より珍重されてきた薬効及び風味と、びわの葉の有する薬効及び風味を同時に得られる手軽なお茶として飲用できるものである。特に、アミグダリンは微量の青酸を含む糖質からなっているので、「アミダグリン青酸配糖体」と呼ばれ、これが体内に入ると、特にガン細胞が多量に放出する「βグルコシダーゼ」という特殊な酵素で加水分解され、青酸とベンツアルデヒドという物質を発生させる。この青酸とベンツアルデヒドは強烈な複合毒素となり、ガン細胞だけを選んで攻撃して破壊する。このように、アミダグリンは健康な細胞に対しては無害で、代謝活動を向上させ、制ガン・抗ガン作用を著しく発揮する。本考案品は斯かる大きな効果を有するものであって、びわ茶として極めて優れた効果を発揮するものである。
【図面の簡単な説明】
【００１４】
【図１】本考案の実施形態に係るびわ茶を収容したティーバッグを一部切欠して示した正面図である。
【考案を実施するための形態】
【００１５】
以下、本考案を実施するための形態について、図面を参照して説明する。
【００１６】
図中、１はびわの種子を焙煎後粉砕して得られたびわの種子の粉末である。２はびわの葉を焙煎して得られるびわ茶である。そして、これらを適宜の割合で混合し、ティーバッグ３に収容してなるものである。その他、図中４は紐、５はタグ、６は本考案品を収納した包装用袋である。尚、この包装用袋は、風味や薬効を損なわないようにするため、アルミニューム製又は合成樹脂製の袋とすることが望ましい。
【００１７】
以上により製造された本考案びわ茶は、びわの種子の薬効及び風味と併せびわの葉の薬効及び風味をも同時に得られるものであって、特に近年叫ばれている健康ブームに極めて合致するものであって、実用に供し著効を奏するものである。
【符号の説明】
【００１８】
１  びわの種子を焙煎後粉砕して得られたびわの種子の粉末
２  びわの葉を焙煎して得られるびわ茶
３  ティーバッグ
４  紐
５  タグ
６  包装用袋
【図１】
0003194305.tif 000003
(57)【要約】      （修正有）【課題】暗がりを歩く時に他者から認識されやすくして事故を抑制できる杖を提供する。【解決手段】杖１の先のすベり止め３を透明もしくは半透明の素材にして、杖の中に組み込んだ電球２の光によって、すべり止めを光らせて他者からの認識を高める。センサー付きスイッチや、任意に切り替えのできるスイッチ５を設ける事で、電池４の消耗を抑える事ができる。【選択図】図２
0003194352.tif 000002
【実用新案登録請求の範囲】
【考案の詳細な説明】
【考案の概要】
【考案が解決しようとする課題】
【０００１】加齢により足の筋力や間接が弱くなった人や、足の不自由な人や、視覚障害者の人などが杖を持って暗がりを歩く時に、他者から認識されにくいという問題点があった。
【課題を解決するための手段】
【０００２】杖の先のすべり止めの樹脂部分を透明もしくは半透明の素材にして、杖内部に組み込んだ電球によりすべり止め部分を光らせる。
なお、センサー付きスイッチや、任意に切り替えのできるスイッチを設ける事で、電池の消耗を抑える事ができる。
【考案の効果】
【０００３】杖の先が光る事で暗がりでも認識されやすくなり、事故の発生を抑制する。
【図面の簡単な説明】
【図１】杖の全体図
【図２】杖の断面図
【符号の説明】１．杖本体
２．電球
３．透明な樹脂
４．電球
５．スイッチ
【図１】
0003194352.tif 000003
【図２】
0003194352.tif 000004
【手続補正書】
【提出日】平成26年6月10日(2014.6.10)
【手続補正２】
【補正対象書類名】実用新案登録請求の範囲
【補正対象項目名】全文
【補正方法】変更
【補正の内容】
【実用新案登録請求の範囲】
【請求項１】
杖の先のすべり止め３を透明もしくは半透明の素材にして、杖に中に組み込んだ電球の光によって、すべり止３を光らせる。
【手続補正書】
【提出日】平成26年9月4日(2014.9.4)
【手続補正１】
【補正対象書類名】実用新案登録請求の範囲
【補正対象項目名】全文
【補正方法】変更
【補正の内容】
【実用新案登録請求の範囲】
【請求項１】
杖本体（１）の先のすべり止め（３）を透明もしくは半透明の素材にして、杖に中に組み込んだ電球（２）の光により、すべり止め（３）を光らせることを特徴とする杖。
(57)【要約】      （修正有）【課題】患者さん、施術者両者に、安全に快適スピーデイに、負担を軽くする事が出来る骨格矯正昇降椅子を提供する。【解決手段】左右一対のパンタグラフ式椅子本体１と、パンタグラフ式椅子本体１の上にそれぞれ設置され、かつ左右の中央側が外側よりも低くなるように傾斜した左右一対の座面２と、パンタグラフ式椅子本体１に作用するように設けられ、かつ電動アクチュエータ４により駆動されて、座面２を上下動させる上下動手段３とからなり、上下動手段３は、左右一対の座面２を左右で上下に段差をつけて上下動する。【選択図】図１
0003194359.tif 000002
【実用新案登録請求の範囲】
【請求項１】
パンタグラフ型電動左右昇降装置による、骨格矯正技術用、ｙｄ式矯正昇降椅子。
【請求項２】
脊椎、頚椎、腰椎の歪み治療、骨格矯正技術に、必要不可欠なる、電動左右昇降装置を特徴とした、請求項１に記載の、ｙｄ式矯正昇降椅子。
【考案の詳細な説明】
【技術分野】
【０００１】本考案は、患者さんと施術者の身体的、精神的負担を、軽減する電動左右昇降装置の、ｙｄ式矯正昇降椅子である。
、
【背景技術】
【０００２】本来は、普通の椅子に腰掛けて頂き、左右の臀部及び大腿部を、自力で、上げたり、下げたりし、施術者は、浮いた所に、補助具のまくらを、差込み又引いたりしての、繰り返し回数が多く、時間もかかり、双方に、苦痛と気兼ねの負担をかけての、治療であった。
【考案の概要】
【考案が解決しようとする課題】
【０００３】本考案は、上記の背景を、解決出きる様に患者さん、施術者共に、負担を減らす事が出来る電動左右昇降装置、ｙｄ式矯正昇降椅子を提案しました。
【課題を解決するための手段】
【０００４】図１は、本考案にかかる、ｙｄ式矯正昇降椅子の全体図であります。
【考案の効果】
【０００５】本考案の、ｙｄ式矯正昇降椅子は、身体に苦痛を持つ患者さん、気兼ねする施術者、双方の負担を除けた、安全に安定し、かつスピーデイに、快適な、治療が施せる、電動左右昇降装置、ｙｄ式矯正昇降椅子である
【図面の簡単な説明】
【・・・・】
【図１】
【考案を実施するための形態】
【・・・・】
【実施例】
【・・・・】
【産業上の利用可能性】
【・・・・】
【符号の説明】
【・・・・】
【図１】
0003194359.tif 000003
【図２】
0003194359.tif 000004
【手続補正書】
【提出日】平成26年8月27日(2014.8.27)
【手続補正１】
【補正対象書類名】実用新案登録請求の範囲
【補正対象項目名】全文
【補正方法】変更
【補正の内容】
【実用新案登録請求の範囲】
【請求項１】
左右一対のパンタグラフ式椅子本体と、前記パンタグラフ式椅子の本体の上にそれぞれ設置され、かつ左右の中央側が外側よりも低くなるように傾斜した左右一対の座面部と、前記パンタグラフ式椅子本体に作用するように設けられ、かつ電動アクチュエータにより駆動されて、前記座面を上下動させる上下動手段とからなり、前記上下動手段は、前記左右一対の座面部を左右で上下に段差をつけて上下動することを特徴とする骨格矯正昇降椅子。
【手続補正２】
【補正対象書類名】明細書
【補正対象項目名】全文
【補正方法】変更
【補正の内容】
【考案の詳細な説明】
【技術分野】
【０００１】本考案は、左右一対のパンタグラフ式椅子本体と、前記パンタグラフ式椅子の本体の上にそれぞれ設置され、かつ左右の中央側が外側よりも低くなるように傾斜した左右一対の座面部と、前記パンタグラフ式椅子本体に作用するように設けられ、かつ電動アクチュエータにより駆動されて、前記座面を上下動させる上下動手段とからなり、前記上下動手段は、前記左右一対の座面部を左右で上下に段差をつけて上下動することを特徴とする骨格矯正昇降椅子。
【背景技術】
【０００２】本来は、固定式の普通の椅子に腰掛けて頂き、左右の臀部及び大腿部を患者さんの自力で、上げたり下げたりし
施術者は浮いたところに、補助具の傾斜板の枕を、差し込み又引いたりの繰り返したりの回数が多く、時間もかかり、双方に苦痛と、気兼ねの負担をしての治療でありました。
【考案の概要】
【考案が解決しようとする課題】
【０００３】本考案は、上記の背景を、解決出きる様に患者さん、施術者共に、負担を減らす事が出来る電動左右昇降装置、骨格矯正昇降椅子を提案しました
【課題を解決するための手段】
【０００４】図１は、本考案にかかる、骨格矯正昇降椅子の全体図であります。
【考案の効果】
【０００５】本考案の、骨格矯正昇降椅子は、身体に苦痛を持つ患者さん、気兼する施術者、双方の負担を除けた、安全に安定し、かつスピーデイに、快適な、治療が施せる、電動左右昇降装置、骨格矯正昇降椅子です。
【図面の簡単な説明】
【０００６】
【図１】平面図
【図２】立面図
(57)【要約】      （修正有）【課題】粒状にすることによって変幻自在な活用が図られ、食材としての活用を相当に広げる粒状かまぼこを提供する。【解決手段】かまぼこを粒状にする。全く新しい粒状のかまぼこにすることによって、進化し続けるかまぼこに変幻自在に対応でき、進化をより促進でき、活用範囲を広いものにする粒状かまぼこ。【選択図】図１
0003194371.tif 000002
【実用新案登録請求の範囲】
【請求項１】
かまぼこを粒状＝丸くて小さい物にすることは、すべてのかまぼこ製品に変幻の自在の活用を与えるものであり、全てのかまぼこ製品における、形状における  〜の粒，〜錠、〜球状の表現は全て含まれる粒状かまぼこ
【考案の詳細な説明】
【技術分野】
【０００１】本実用新案は、かまぼこの形状に関するものである【０００２】従来は、かまぼこ形と言われるようにかまぼこの形は固定化され気味であった
【先行文献】
【０００３】
【実用新案が解決しようとする課題】
【０００４】かまぼこも進化しおりますが、食材の使われ方をより広くしなければ生き残れない状況にあります。そのため、形状の全く新しいスタイルが必要だった
【問題を解決する手段】
【０００５】かまぼこを粒状にする。かまぼこの進化とともに、変幻自在に変われる粒状かまぼこは、その進化を促進し、また、変幻に対応を可能とするかまぼこです
【図面の簡単な説明】
【０００６】      【図面】
【図１】正面
【図２】側面
【実用新案を実施するための形態】
【０００７】実用新案を実施するための形態は、丸くて小さい物＝粒状のものを集合体として使用したり、また、いくつかの粒での使用など、その使用範囲は相当広いものである形態においては、〜の粒、〜錠、〜球形等が、粒の範疇に入るものである
【図１】
0003194371.tif 000003
【図２】
0003194371.tif 000004
(57)【要約】      （修正有）【課題】土踏まずサポーターで、いかにわずらわしさがなく簡単に着脱できて外れにくく、土踏まず部分にかかる衝撃を吸収する事が出来る土踏まずショック吸収機能付きサポーターを提供する。【解決手段】足裏の土踏まず部分は袋状になって固定しているため、長時間経ってもずれたり外れたりする心配がなくなり、足裏の土踏まず部分２に綿や不織布、特殊加工した素材などが入っており土踏まず部分にかかる衝撃を吸収する。【選択図】図３
0003194379.tif 000002
【実用新案登録請求の範囲】
【請求項１】
土踏まずショック吸収機能付サポーターは、土踏まず部分（２）に衝撃を吸収する綿や不織布、特殊加工した素材を内蔵にすることにより、通気性を損なわず足に掛かる衝撃を分散して、偏平足やバランスの悪さからきていた足やかかとの痛みを効率的に軽減する。
【考案の詳細な説明】
【考案の詳細な説明】
【技術分野】
【０００１】本考案は、土踏まずサポーターの応用に関するものである。
土踏まずサポーターで積極的に美容や健康商品として利用する為に考案したものである。
【在来の技術】
【０００２】今までの土踏まずサポーターは足裏にベルトなどで巻くタイプや足にかぶせるタイプが主流でした。そのため長時間の歩行やそれに準じた動きをすることにより、ずれたり外れたりすることが問題になっていました。
【考案が解決しようとする課題】
【０００３】本考案は、土踏まずサポーターで、いかにわずらわしさがなく簡単に着脱できて外れにくく、土踏まず部分にかかる衝撃を吸収する事が出来る。
【課題を解決する為の手段】
【０００４】一般的に必ず着用する靴下等の代わりとして着用することで土踏まず部分（２）にかかる衝撃を吸収することを特長とする。
土踏まずサポーター本体部分（１）がパワーネットもしくはそれに準じる補正下着用素材で出来ており、伸縮性、通気性、速乾性に優れており、安定させ締めるべきところはパワーネットもしくはそれに準じる補正下着用素材の２重構造もしくは繊維の多重構造になっている。
足裏の土踏まず部分（２）は袋状になっておりその中に綿や不織布、特殊加工した素材などが入っており踏まず部分にかかる衝撃を吸収する。
中に入れる素材は片側１ｇ〜１０ｇの間で調整していれる。
本体は通常足首部分（３）までですが、これをひざ下（４）まで延長することにより、素材の圧によりふくらはぎのむくみも解消する。
【考案の効果】
【０００５】▲１▼  シンプルなデザインで着用感が良く、薄いため上から靴下を履いたり、靴下の上に履いたりしてそのまま靴を無理なく履くことも出来る。
▲２▼  伸縮素材で履くタイプなので、簡単に着脱できる。
▲３▼  デザインや加工方法が容易であるから、大量生産ができるメリットがある。
▲４▼  吸湿速乾素材の為、通気性が良くむれない。
【図面の簡単な説明】
【図１】本考案の土踏まずサポーター、正面図である。
【図２】本考案の土踏まずサポーター、背面図である。
【図３】本考案の土踏まずサポーター、側面図である。
【図４】本考案の土踏まずサポーター、ひざ下部分までのものである。
【符号の説明】  １  土踏まずサポーター本体部分
２  土踏まずサポーター土踏まず部分
３  土踏まずサポーター足首部分
４  土踏まずサポーターひざ下部分
【図１】
0003194379.tif 000003
【図２】
0003194379.tif 000004
【図３】
0003194379.tif 000005
【図４】
0003194379.tif 000006
(57)【要約】      （修正有）【課題】薄毛や禿頭の悩みは、ストレスや薬剤の副作用などで増えてきており、それをお洒落に隠すストール巻き帽子を提供する。【解決手段】布キャップを土台にし、市販のストールで被覆や巻き付け、縫い付けて飾ることを特徴とする。多彩なストールを選択し、使用できるため、着用者の心を豊かにし、晴れやかにする。薬剤の副作用や高いストレスで生じた薄毛・禿頭に悩む人々（患者）、とりわけ女性には、手軽に使えて、気分を高揚させることができる。【選択図】図１
0003194374.tif 000002
【実用新案登録請求の範囲】
【請求項１】
土台となる布キャップを、市販のストールで、被覆や巻きつけ、縫い付けてなる、ストール巻き帽子。
【考案の詳細な説明】
【技術分野】
【０００１】帽子（キャップ）は、幅広い用途で利用されている。日よけ、熱射防止、防護、色分け、装飾（着飾り）等々である。【０００２】帽子を被る目的によって、帽子の材料・材質が吟味されるとともに、着用の快適性も追及され続けている。
【背景技術】
【０００３】帽子の利用目的の中、装飾性については、頭髮の減少を隠すという要求も増えている。
強度のストレスやがん治療に伴う薄毛・禿頭を隠す分野である。
【考案の概要】
【考案が解決しようとする課題】
【０００４】薄毛・禿頭を、お洒落に隠す手軽な帽子が欲しい。
【課題を解決するための手段】
【０００５】請求項１の、本考案になる帽子は、土台となる布製のキャップ（図５）に、ストールを被覆し、縫い付け（図９−４）、残余は巻き付けて要所を縫い付けて製造する。【０００６】図１は、本考案になる帽子全体の斜視図である。【０００７】図５は本考案になる帽子の土台となる、布製のキャップの斜視図である。開口部の縁の全周に、ワイヤー（図８−２）を破線で示すように縫い込み、形状を保持する。キャップの開口部の寸法の調節には、アジャスター（図５−３）を、取り付けている。これらの装備によって、かつら等でみられる締めつけの悩みや、寸法調整の難しさを無くした。【０００８】本考案になる帽子（キャップ）には、市販のストール（肩掛け）やストール風の布１本（図９）を用いる。ストールを用いる最大の理由は、多彩で種類が豊富なためである。これは帽子の装着者の選択を広め、自由にし、他方帽子製造者の材料の手当てを容易にする。【０００９】ストールは薄手の織布を用い、キャップの軽量化を図る。ストールのサイズは、幅が約６０ｃｍ、長さは約１６０ｃｍである。これは３０ｃｍ巾に二つ折りし、市販されている。【００１０】本考案になる帽子は、市販のストールを、そのまま用いる。ストールの部位の中、図９−４に示す破線部は、土台の布キャップ（図５）の上に縫い付け、固定する。ストールの残余の部分は、キャップに巻き付け、両端はリボン飾りに用いる。
【考案の効果】
【００１１】本考案になるキャップは、多彩なストールを選択し、使用できるため、着用者の心を豊かにし、晴れやかにする。薬剤の副作用や高いストレスで生じた薄毛・禿頭に悩む人々（患者）、とりわけ女性には、手軽に使えて、気分を高揚させることができる。【００１２】本考案の効果は、ストール巻きキャップの製造が容易な面にある。予め、土台となる布キャップを準備しておくことができ、使用者には好みのストールを選ばせ、ストール巻きキャップを短時間で提供することが可能となった。
【考案を実施するための形態】
【００１３】土台となる布キャップの素材は、天然素材を用いるのが良い。吸湿性、速乾性、抗菌性や消臭性等の性質を具えた材料を選択することもできる。
【００１４】ストールの素材は薄手の織布がよい。これで仕上がるストール巻きキャップの重量は、約６０ｇで軽く、着用者に負担をかけない。
【図面の簡単な説明】
【００１５】
【図１】図１は、本考案になるストールを巻き付けた帽子（キャップ）の斜視図。
【図２】図２は、本考案になるストール巻きキャップの側面図。
【図３】図３は、ストール巻きキャップの背面図。
【図４】図４は、ストール巻きキャップの底面図。
【図５】図５は、ストール巻きキャップの土台となる布製のキャップ
【図６】図６は、土台となるキャップの側面図。
【図７】図７は、土台となるキャップの背面図。
【図８】図８は、土台となるキャップの底面図。
【図９】図９は、ストールの平面図。
【符号の説明】
【００１６】１……リボンを示す。
２……ワイヤを縫い込んだ位置を破線で示す。
３……アジャスターを示す。
４……布キャップにストールを被覆するために縫い付ける位置を破線で示す。
５……リボンの結び目を示す。
【図１】
0003194374.tif 000003
【図２】
0003194374.tif 000004
【図３】
0003194374.tif 000005
【図４】
0003194374.tif 000006
【図５】
0003194374.tif 000007
【図６】
0003194374.tif 000008
【図７】
0003194374.tif 000009
【図８】
0003194374.tif 000010
【図９】
0003194374.tif 000011
(57)【要約】      （修正有）【課題】高速道路や海岸線の海側と道路側の境壁に取り付けられている、フェンスの下の錆流れ跡や、錆だまりの解消をするＬ字型雨トヨを提供する。【解決手段】縦２ｍ・幅５．５ｃｍ３の内側が２ｃｍ・外側が５ｃｍの折り返し１，２と、横５０ｃｍ・幅５．５ｃｍ３の内外側が２ｃｍの折り返し４があるＬ字型雨トヨ３０である。縦２ｍの先端をあげて、除々に下げてフェンスの錆を自然に流れ出す為の、フェンスに取り付ける穴５が５個ある。【選択図】図１
0003194372.tif 000002
【実用新案登録請求の範囲】
【請求項１】
縦２ｍ・幅５．５ｃｍの内側が２ｃｍ・外側５ｃｍの折り返しと、横５０ｃｍ・幅５．５ｃｍの内外側に２ｃｍの折り返しがあるＬ字型雨トヨ。
【考案の詳細な説明】
【背景技術】
【０００１】  高速道路や海岸線の海側と道路側の境壁に取り付けられているフェンスの下の壁は、すぐに茶色い線となりたまり、塗装してもすぐに汚くなってしまいます。
これはフェンスに残った雨が錆となり垂れてくるからで、この錆を受け止めて流してしまうＬ字型雨トヨの考案をしました。
【考案を実施するための最良の形態】
【０００２】縦２ｍ・幅５．５ｃｍ３の内側が２ｃｍ１・外側が５ｃｍ２の折り返しと、横５０ｃｍ・幅５．５ｃｍ３の内外側が２ｃｍの折り返し４のあるＬ字型雨トヨ３０でる。
縦２ｍの先端をあげて、除々に下げてフェンスの錆を自然に流れ出す為の、フェンスに取り付ける穴５が５個ある。
【図面の簡単な説明】
【０００３】
【図１】  本考案にかかるＬ字型雨トヨ。
【図２】  本考案にかかるＬ字型雨トヨの連結。
【符号の説明】
【０００４】Ｌ    字    型    雨    ト    ヨ                            ３０
縦２ｍ・幅５．５ｃｍの内側２ｃｍの折り返し                    １
縦２ｍ・幅５．５ｃｍの外側５ｃｍの折り返し                    ２
縦２ｍ・横５０ｃｍのＬ字型の幅５．５ｃｍ                      ３
横５０ｃｍ・幅５．５ｃｍの内外側２ｃｍの折り返し              ４
縦２ｍ・幅５．５ｃｍの外側５ｃｍの折り返し部分の穴            ５
【図１】
0003194372.tif 000003
【図２】
0003194372.tif 000004
(57)【要約】      （修正有）【課題】徘徊傾向のある認知症高齢者を対象に、市販ＧＰＳ端末を腕又は足などに固定できると共に、本人が外してしまうことを防止できる装身具を提供する。【解決手段】市販ＧＰＳ端末を収納することができ、かつ市販ＧＰＳ端末の表示確認、操作等ができる開口部３がある収納箱１と、その収納箱とつながるベルト２から構成される装身具で、腕又は足等に固定でき、装身具を脱着するには鍵５を必要とする。【選択図】図１
0003194320.tif 000002
【実用新案登録請求の範囲】
【請求項１】
市販のＧＰＳ端末を収納し、かつ収納した状態でもＧＰＳ端末の表示確認と操作が可能であるような開口部のある収納箱と、その収納箱につながるベルトからなる、市販のＧＰＳ端末を腕又は足等に固定する鍵つき装身具。
【考案の詳細な説明】
【技術分野】
【０００１】
本考案は、市販ＧＰＳ端末を腕や足等に固定する鍵付き装身具に関するものである。
【背景技術】
【０００２】
認知症障害を持つ高齢者が徘徊等で行方不明になった場合、その高齢者が市販ＧＰＳ端末を携帯していれば、親族、介護者、通報を受けた警察などがインターネット上で位置情報を検索し、早期発見、保護することが期待できる。
【０００３】
そのため、徘徊傾向のある高齢者に、市販ＧＰＳ端末を所持してもらい、徘徊時の早期発見、保護に役立てようとする試みが広まっており、実際、各地の自治体でもこうしたサービスを導入するケースが増えている。
【０００４】
しかし、認知症が進行し判断力が低下した高齢者が、徘徊時に忘れずに市販ＧＰＳ端末を所持携帯するのは困難である。
【０００５】
現状では、市販ＧＰＳ端末の所持携帯には、本人の意思の力に期待するしかなく、判断力が低下した認知症高齢者に対して、所持携帯の手段が考えられていないという欠点がある。
【考案の概要】
【考案が解決しようとする課題】
【０００６】
本考案は以上のような欠点に鑑み、徘徊傾向のある認知症高齢者を対象に、市販ＧＰＳ端末を腕又は足等に固定できる装身具を提供する事を目的とする。
【課題を解決するための手段】
【０００７】
本考案は、市販ＧＰＳ端末を収納することができ、かつ市販ＧＰＳ端末の表示確認、操作等ができる開口部がある収納箱と、その収納箱とつながるベルトから構成される装身具で、腕又は足等に装着できる。
【０００８】
上記装身具を脱着するには鍵を必要とする。
【考案の効果】
【０００９】
本考案により、居宅にいるときから、あらかじめ徘徊傾向のある認知症高齢者の腕又は足等に市販ＧＰＳ端末を固定しておくことが可能となる。
【００１０】
鍵の管理を家族、介護者等が行うようにすれば、本人が徘徊前に外してしまうことを防止でき、また、目の届かない時間帯だけ装着するなど実態にあった使い方が可能となる。
【００１１】
開口部から市販ＧＰＳ端末の表示確認、操作が可能なので、たとえば時計表示があれば装着中は腕時計のように扱うことができる。
【図面の簡単な説明】
【００１２】
【図１】本考案の斜視図
【図２】本考案の収納箱が開いた状態を示す斜視図
【図３】本考案により市販ＧＰＳ端末が腕に固定された状態を示す平面図
【考案を実施するための形態】
【００１３】
以下、本考案の実施の形態を図に基づいて説明する。
【００１４】
図１は、本考案の斜視図であり、腕、足等に固定する装身具本体とそれを脱着するための鍵を示している。
【００１５】
本考案の装身具をはずした状態が図２である。
【００１６】
図２の状態で、腕をベルトに通してから、市販ＧＰＳ端末を収納箱に収納した後、収納箱を鍵で閉め、腕に固定した状態が図３である。
【符号の説明】
【００１７】
１  収納箱
２  ベルト
３  開口部
４  鍵穴
５  鍵
６  分割した収納箱
７  市販ＧＰＳ端末
８  手首
【図１】
0003194320.tif 000003
【図２】
0003194320.tif 000004
【図３】
0003194320.tif 000005
(57)【要約】      （修正有）【課題】防水ファスナーを使用せずに完全防水と謳えるバッグを提供する。【解決手段】防水バッグの開閉部にレールロック式開閉部１を熱圧着する。【選択図】図１
0003194381.tif 000002
【実用新案登録請求の範囲】
【請求項１】
開閉部をレールロック式にし、完全防水を謳えるバッグ
【考案の詳細な説明】
【技術分野】
【０００１】本考案は、バッグの開閉部をレールロック式にした防水バッグに関するものである。
【背景技術】
【０００２】従来、防水バッグの開閉部は、止水ファスナーやロール式で防水性を高めたり、高価な防水ファスナーを使用していた。
【考案の概要】
【考案が解決しようとする課題】
【０００３】従来の防水バッグでは、止水ファスナーやロール式の場合、完全な防水バッグにする事が不可能な為、防水性に優れたバッグとしか表記する事が出来なかった。
また、防水ファスナーの場合、防水ファスナー自体が高価な為、バッグとしてかなり高額になってしまう事が多かった。
【課題を解決するための手段】
【０００４】本考案は、バッグの開閉部を熱圧着加工でＴＰＵ製のレールロック式にする事によって、比較的安価な完全防水のバッグを実現する。
【考案の効果】
【０００５】熱圧着加工の防水バッグの開閉部に考案されたレールロック式の開閉部を熱圧着する事により、防水ファスナーを使用せずに完全防水と謳えるバッグを実現する。
【図面の簡単な説明】
【０００６】
【図１】本考案のレールロック式防水バッグの全体図である。
【図２】レールロック式開閉部の断面図である。
【図３】レールロック式開閉部を左右に分けた状態の断面図である。
【図４】レールロック式開閉部を開ける時の図である。
【図５】レールロック式開閉部を開いた時の図である。
【考案を実施するための形態】
【０００７】図１にある１は従来、止水ファスナーや高価な防水ファスナーであったものをレールロック式にして、完全防水を実現する。
【実施例】
【０００８】図１の１がレールロック式開閉部であり、図３の３と４の様に左右のレールが正反対の鈎爪状の２層構造になっており、図２の様に隙間なく噛み合う事で完全防水が実現する。【０００９】このレールロック式開閉部を開く際は、図１の２の左右の開口時ループテープに親指を掛けて、左右逆にスライドさせる事により、図５の様に開く事が出来る。
【符号の説明】
【００１０】１  レールロック開閉部
２  開口時ループテープ
３  レールロック下部
４  レールロック上部
【図１】
0003194381.tif 000003
【図２】
0003194381.tif 000004
【図３】
0003194381.tif 000005
【図４】
0003194381.tif 000006
【図５】
0003194381.tif 000007
(57)【要約】【課題】耐久性及び加工精度を向上した耐摩耗性転造平ダイスを提供する。【解決手段】固定平ダイス１０と、固定平ダイス１０に対向する可動平ダイス２０と、から構成し、固定平ダイス１０と可動平ダイス２０との対向面には、転造面１００が設けられ、転造面１００には、転造領域１３が設けられる。転造領域１３の左右上下には、第１転造領域１４及び第２転造領域１５が設けられる。転造領域１３の下方には、傾斜形状のバリ除去部１６が形成される。固定平ダイス１０及び可動平ダイス２０の表面には、耐摩耗性、耐熱性及び耐金属疲労性を有する硬質金属皮膜又は硬化処理層が設けられる。【選択図】図１
0003194977.tif 000002
【実用新案登録請求の範囲】
【請求項１】
固定平ダイスと、固定平ダイスに対向する可動平ダイスとからなる転造平ダイスであって、
前記固定平ダイスと前記可動平ダイスとの対向面には、転造面が設けられ、
概転造面には、転造領域が設けられ、概転造領域の左右上下に第１転造領域及び第２転造領域が設けられ、前記転造領域の下方には、傾斜形状のバリ除去部が形成され、
前記固定平ダイス及び前記可動平ダイスの転造面には、耐摩耗性、耐熱性及び耐金属疲労性を付与する硬質金属皮膜又は硬化処理層が設けられてなり、
前記固定平ダイスと前記可動平ダイスとの間に被記加工物をおいて、概可動平ダイスを前進させることにより前記転造面によって前記加工物にねじ山を成形する、ことを特徴とする耐摩耗性転造平ダイス。
【考案の詳細な説明】
【技術分野】
【０００１】
本考案は、耐摩耗性を有する転造平ダイスに関し、特に、耐摩耗性、耐熱性及び耐久性を有し、金属疲労を抑制して安定に使用することができ、経済的な転造平ダイスを提供することができる耐摩耗性を有する転造平ダイスに関する。
【背景技術】
【０００２】
一般に、ねじ、ボルト、ねじロッドなどの表面にねじ山を有する螺合物は、原型が冷間鍛造によって成形された後、転造装置によって材料に所望のねじ山が形成され、製品となる。
【０００３】
これらの螺合物は、プラス溝、マイナス溝などの外力が加えられる端面を有する。また、外周面に沿って、加工によって表面が突出した螺旋状のねじ山面が構成される。これにより、利便性高く物体に螺入することができる。螺旋状のねじ山面は、相対する左右側面に斜めの歯部を有する転造平ダイスを備えた転造装置によって形成される。
【０００４】
転造平ダイスは、長期に渡って加工物の転造成形を行うと、摩損して加工物が滑りやすくなり、加工の際にねじが変形したり、加工誤差が発生したりする。このことは、不良率が高くなり、コストが上昇する原因となっている。
【先行技術文献】
【特許文献】
【０００５】
【特許文献１】再公表特許ＷＯ９９／４７２９０号公報
【考案の概要】
【考案が解決しようとする課題】
【０００６】
本考案の目的は、転造平ダイスが摩損し、転造時に加工物が滑る現象の発生を低減し、安定性、耐久性及び加工精度を高めた耐摩耗性を有する転造平ダイスを提供することにある。
【課題を解決するための手段】
【０００７】
本考案の耐摩耗性を有する転造平ダイスは、固定平ダイスと、固定平ダイスに対向する可動平ダイスとからなる。２つの平ダイスの対向面には、転造面が設けられ、該転造面は、被加工物にねじ山を成形する加工刃として用いられる。
【０００８】
転造面には、転造領域が設けられ、概転造領域は、左右上下に設けられた第１転造領域及び第２転造領域を有する。転造領域の下方には、傾斜形状のバリ除去部が形成される。
【０００９】
被加工物が固定平ダイスと可動平ダイスとの間に配置され、可動平ダイスを前進させると、固定平ダイス及び可動平ダイスの転造面によって被加工物にねじ山が成形される。
【００１０】
固定平ダイス及び可動平ダイスの表面には、耐摩耗性、耐熱性及び耐金属疲労性を付与する硬質金属皮膜又は硬化処理層が設けられる。
【考案の効果】
【００１１】
本考案の耐摩耗性を有する転造平ダイスの特徴としては、転造平ダイスの表面に、耐摩耗性、耐熱性及び耐金属疲労性を有する硬質金属皮膜又は硬化処理層が設けられる。これにより、摩損及び金属疲労を低減することができ、安定的に使用することができ、経済的な転造平ダイスを提供することができる。
【図面の簡単な説明】
【００１２】
【図１】本考案の一実施形態による転造平ダイスを示す斜視図である。
【考案を実施するための形態】
【００１３】
本考案は、摩損して転造時に加工物が滑る現象の発生を低減し、安定性及び耐久性が高く、経済的な転造平ダイスを提供することができる耐摩耗性を有する転造平ダイスを提供するものである。
【００１４】
図１を参照する。図１に示すように、本考案の耐摩耗性を有する転造平ダイスは、固定平ダイス１０と可動平ダイス２０とからなる。固定平ダイス１０と可動平ダイス２０とは、固定台４１と可動台４０１とにそれぞれ装着される。固定平ダイス１０と可動平ダイス２０との間には、加工物３０が配置される。固定平ダイス１０及び可動平ダイス２０は、押圧ブロック４３によって押圧され、ねじ４２によって固定される。
【００１５】
固定平ダイス１０と可動平ダイス２０とは、対向設置される。固定平ダイス１０及び可動平ダイス２０には、転造面１００がそれぞれ設けられる。転造面１００には、広範囲の転造領域１３が設けられ、転造領域１３の範囲内において、上下左右に第１の転造領域１４及び第２の転造領域１５が設けられる。また、転造領域１３の下方には、傾斜形状のバリ除去部１６が設けられる。
【００１６】
被加工物３０は、固定平ダイス１０と可動平ダイス２０との間に設置される。可動平ダイス２０を移動させると、加工物３０は、固定平ダイス１０の前方の入刃端１１から可動平ダイス２０に牽引されて前進し、第１の転造領域１４、転造領域１３及び第２の転造領域１５に順番に接触することによって表面にねじ山が転造される。バリ除去部１６は、加工物３０のバリを除去する。加工物３０は、出刃端１２から排出される。
【００１７】
本考案の耐摩耗性を有する転造平ダイスの特徴としては、転造平ダイスの表面に、耐摩耗性、耐熱性及び耐金属疲労性を有する硬質金属皮膜又は硬化処理層が設けられる。これにより、摩損及び金属疲労を低減することができ、安定的に使用することができ、経済的な転造平ダイスを提供することができる。
【００１８】
上述の説明から分かるように、本考案の耐摩耗性を有する転造平ダイスは、構造が簡単であり、従来の転造平ダイスの欠点を改良したものである。
【符号の説明】
【００１９】
１０  固定平ダイス
１１  入刃端
１２  出刃端
１３  転造領域
１４  第１の転造領域
１５  第２の転造領域
２０  可動平ダイス
３０  加工物
４１  固定台
４０１  可動台
４２  ねじ
４３  押圧ブロック
１００  転造面
【図１】
0003194977.tif 000003